(57)【特許請求の範囲】
【請求項１】
鼻隠と、
この鼻隠に取り付けられた樋吊り具と、
この樋吊り具に支持された軒樋と
を備えた軒樋の取付構造であって、
前記樋吊り具は、
前記鼻隠に固定されて前記軒樋を支持する吊り具本体と、
この吊り具本体に取り付けられ、屋根上を流下した水を前記軒樋内に導く導水板が取付部に取り付けられる導水板支持具と
を備え、
前記取付部の上下位置及び前後位置が前記吊り具本体に対して各別に変更可能となっていることにより、前記取付部に取り付けられる前記導水板が、軒先の先端に対して一定の位置関係になると共に、前記軒樋の最も下方に位置する箇所が、前記鼻隠に直交し且つ当該鼻隠の下端を通る平面上に位置するものであって、
前記吊り具本体には前記導水板支持具が取り付けられる連結部が前後方向に間隔を置いて複数設けられ、
前記導水板支持具には、上下方向に間隔を置いて複数の被連結部が設けられ、
複数の前記連結部のうちの一つの連結部が選択され、この選択された連結部には、前記複数の被連結部のうちの一つの被連結部が選択的に連結されるものであり、
前記連結部には前記被連結部が、嵌め込みによって連結されるものであること
を特徴とする軒樋の取付構造。
【請求項２】
前記軒樋が底壁を有する角樋によって構成されており、
前記軒樋の底壁の下面が前記鼻隠に直交し且つ当該鼻隠の下端を通る平面上に位置している
ことを特徴とする請求項１記載の軒樋の取付構造。
【発明の詳細な説明】
【技術分野】
【０００１】
本発明は、軒樋の取付構造に関する。
【背景技術】
【０００２】
特許文献１には、従来の軒樋の取付構造が記載されている。この特許文献１記載の軒樋の取付構造は、軒樋支持具と、軒樋とを有している。この軒樋支持具は、鼻隠し板に固定されて、軒樋を支持する。この軒樋支持具、軒樋を、屋根の軒先に対して所定の位置関係となるように位置させて支持する。これにより、軒樋は、軒先から流下する雨水の大部分を受けることができる。
【先行技術文献】
【特許文献】
【０００３】
【特許文献１】特開２００９−１７４２６４号公報
【発明の概要】
【発明が解決しようとする課題】
【０００４】
ところで、一般に、鼻隠し板の幅方向（上下方向）の大きさは建物によって異なる。しかしながら、従来の軒樋の取付構造では、軒先の先端に対する軒樋の位置が設計上決められてしまうため、軒樋の下端と鼻隠の下端とが上下方向にずれてしまうことがある。この場合、建物の外観を損なってしまうという問題があった。
【０００５】
本発明は、上記事情に鑑みてなされたものであり、その目的とするところは、軒先から流下する雨水を軒樋内に流下させるようにしながら、鼻隠の下端に軒樋の下端を揃えることができる軒樋の取付構造を提供することにある。
【課題を解決するための手段】
【０００６】
本発明は、鼻隠と、この鼻隠に取り付けられた樋吊り具と、この樋吊り具に支持された軒樋とを備えた軒樋の取付構造であって、前記樋吊り具は、前記鼻隠に固定されて前記軒樋を支持する吊り具本体と、この吊り具本体に取り付けられ、屋根上を流下した水を前記軒樋内に導く導水板が取付部に取り付けられる導水板支持具とを備え、前記取付部の上下位置及び前後位置が前記吊り具本体に対して各別に変更可能となっていることにより、前記取付部に取り付けられる前記導水板が、軒先の先端に対して一定の位置関係になると共に、前記軒樋の最も下方に位置する箇所が、前記鼻隠に直交し且つ当該鼻隠の下端を通る平面上に位置するものであって、前記吊り具本体には前記導水板支持具が取り付けられる連結部が前後方向に間隔を置いて複数設けられ、前記導水板支持具には、上下方向に間隔を置いて複数の被連結部が設けられ、複数の前記連結部のうちの一つの連結部が選択され、この選択された連結部には、前記複数の被連結部のうちの一つの被連結部が選択的に連結されるものであり、前記連結部には前記被連結部が、嵌め込みによって連結されるものであることを特徴とする。
【０００７】
また、この軒樋の取付構造において、前記軒樋が底壁を有する角樋によって構成されており、前記軒樋の最も下方に位置する箇所が、前記底壁の下面であることが好ましい。
【発明の効果】
【０００９】
本発明の軒樋の取付構造によれば、軒先から流下する雨水を軒樋内に流下させるようにしながら、鼻隠の下端に軒樋の下端を揃えることができる。
【図面の簡単な説明】
【００１０】
【図１】（ａ）は実施形態１の軒先構造の断面図であり、（ｂ）は図１（ａ）の鼻隠の幅よりも大きな幅の鼻隠に樋吊り具が取り付けられた状態の断面図である。
【図２】（ａ）は実施形態１の吊り具本体の斜視図であり、（ｂ）は図２（ａ）におけるＡ−Ａ線断面図である。
【図３】実施形態１の樋吊り具の斜視図である。
【図４】実施形態１の導水板支持具の側面図である。
【図５】実施形態１の導水板支持具の斜視図である。
【図６】実施形態１の樋吊り具の軒方向に沿った面における断面図である。
【図７】実施形態１の樋吊り具の斜視図である。
【図８】実施形態２の軒先構造の断面図である。
【図９】実施形態３の軒先構造の断面図である。
【発明を実施するための形態】
【００１１】
以下、本発明の実施形態について添付図面に基づいて説明する。
【００１２】
実施形態１の軒樋の取付構造は、図１（ａ），図１（ｂ）に示すように、鼻隠１５に固定された樋吊り具３と、この樋吊り具３に支持された軒樋２とを備えている。この軒樋２は、屋根１の軒先１１に取り付けられる。なお、図１（ａ）と図１（ｂ）とに示す軒先１１は、それぞれ別の建物の軒先１１であり、軒先１１の先端と鼻隠１５との位置関係が異なったものである。
【００１３】
屋根１は、建物の上部を構成する構造物であり、棟から軒に向かって下り傾斜している（以下、この屋根１の勾配を屋根勾配といい、屋根勾配に沿った方向を屋根勾配方向という）。屋根１は、軒側の端部に軒先１１を有している。軒先１１は、屋根１において建物の外壁面（図示せず）から突出した部分をいう。屋根１は、屋根下地１２と、屋根材１６とを備えている。
【００１４】
屋根下地１２は、屋根材１６の下地になるものである。屋根下地１２の上面は勾配を有している。屋根下地１２は、例えば、野地板１３と垂木１４と鼻隠１５とを備えている。垂木１４は、屋根勾配方向に長さを有している。垂木１４は、屋根勾配方向に直角な水平方向（以下、軒方向という）に一定の間隔を置いて複数設けられている。野地板１３は、垂木１４の上面に載せられて取り付けられる。垂木１４の軒側の端部には、鼻隠１５が取り付けられる。
【００１５】
鼻隠１５は、屋根１から下方に向かって突出した横板である。本実施形態の鼻隠１５は、屋根面（屋根１の上面）に直交しており、下方に向かうほど建物側（屋内側）に向かうように傾斜している。鼻隠１５は、軒先１１の先端（つまり、屋根材１６の先端）からやや棟側に位置する箇所に設けられている。鼻隠１５は、軒方向に長さを有し、屋根面とは直角な方向に幅を有している。
【００１６】
屋根材１６は、屋根下地１２の上面に取り付けられており、これにより、屋根勾配を形成する（この屋根材１６の上面が屋根面となっている）。屋根材１６は、例えば、粘土瓦、金属瓦などの瓦や、折板屋根等の金属屋根や、スレート屋根などが挙げられるが、特に限定されない。
【００１７】
軒樋２は、樋吊り具３に取り付けられ、これにより、軒先１１に取り付けられる。軒樋２は、上方に開口して断面Ｕ字状をした角樋によって構成されている。軒樋２は、例えば、ガルバリウム鋼板（登録商標）などの鋼板や、合成樹脂などにより構成される。なお、軒樋２は、鋼板や合成樹脂に限らず、合成樹脂に金属板をインサート成形したものであってもよい。
【００１８】
軒樋２は、軒方向に長さを有している。また、軒樋２は、後壁２１と、この後壁２１の下端から前方に向かって延出した底壁２３と、底壁２３の前端から上方に向かって延出した前壁２４とを備えている。前壁２４は、上方に向かうほど前方に位置するように傾斜している。また底壁２３は、後壁２１に直交しており、傾斜した鼻隠１５に取り付けられると、前方に向かうほど下方に位置するように傾斜する。後壁２１と底壁２３と前壁２４とは、一体に成形されている。
【００１９】
後壁２１の上端には、後耳部２２が設けられている。また、前壁２４の上端には、前耳部２５が設けられている。前耳部２５および後耳部２２は、樋吊り具３に保持される。前耳部２５は、前壁２４の上端が略三角形状に折り曲げられて形成されている。後耳部２２は、後壁２１の上端が前方に折り曲げられ、さらにその先端が下方に折り曲げられており、つまり、後壁２１の上端が折り返されて形成されている。
【００２０】
このような構成の軒樋２は、樋吊り具３に取り付けられる。樋吊り具３は、鼻隠１５の前面に固定されて用いられる。樋吊り具３は、軒樋２を上方から吊り下げ、これにより、軒樋２を支持するものである。樋吊り具３は、吊り具本体３１と、導水板支持具５とを備えている。
【００２１】
吊り具本体３１は、鼻隠１５の前面に固定され、これにより軒樋２を支持する。吊り具本体３１は、図２（ａ）に示すように、固定部３２と、吊部３４とを備えている。
【００２２】
固定部３２は、鼻隠１５の前面に固定される。固定部３２は、正面視矩形状をしている。固定部３２には、固着具挿通孔３３が複数箇所に設けられている。固定部３２は、固着具挿通孔３３に固着具を通した上で、当該固着具を鼻隠１５に打ち込むことで、鼻隠１５に固定される。
【００２３】
吊部３４は、固定部３２から前方に向かって突出している。吊部３４は、前後方向に長さを有し、左右方向に幅を有している。吊部３４の長さ方向は、固定部３２の前面に直交している。吊部３４の固定部３２側の端部（つまり、吊部３４の基部）には、樋内支持部３５が設けられている。
【００２４】
樋内支持部３５は、吊部３４の基部から下方に向かって突出している。樋内支持部３５の突出先端は、軒樋２の後壁２１の内面に当たるように構成されている（この軒樋２の内面に当接する箇所を当接部３６という）。
【００２５】
また、吊部３４には、軒樋２を吊り下げて保持するための保持部３７が設けられている。保持部３７は、軒樋２の前壁２４上端と後壁２１上端とを保持する。本実施形態の樋吊り具３は、保持部３７として、前保持部３８と、後保持部４０とを備えている。
【００２６】
前保持部３８は、吊部３４の長さ方向の前側の端部（すなわち、吊部３４の先端）に設けられている。前保持部３８は、軒樋２の前壁２４上端に設けられた前耳部２５を保持する。前保持部３８は、吊部３４の先端から上方に向かって突出した係止爪３９によって構成されている。
【００２７】
後保持部４０は、吊部３４の基部に設けられており、より詳細には、樋内支持部３５の上端部に設けられている。後保持部４０は、軒樋２の後壁２１上端に設けられた後耳部２２を保持する。後保持部４０は、後耳部２２が載置される載置面４１と、載置面４１の後端から上方に突出した突起４２とを備えている。
【００２８】
また、吊り具本体３１は、導水板支持具５を取り付けるための連結部４３を有している。この連結部４３は、吊り具本体３１の吊部３４に設けられている。連結部４３には、導水板支持具５が着脱自在に取り付けられる。連結部４３は、吊部３４の上面から突出した凸部４４と、吊部３４の側面に設けられた凹部４７とを備えている。
【００２９】
凸部４４は、吊部３４の幅方向の半部に設けられている。凸部４４は、前後方向（吊部３４の長さ方向）に一定の間隔をおいて複数箇所に設けられている（本実施形態では２箇所に設けられている）。凸部４４は、吊部３４の長さ方向に沿った断面において、矩形状をしている。また、凸部４４は、図２（ｂ）に示すように、吊部３４の幅方向に沿った断面において、吊部３４の幅方向の中央側の端面４５が鉛直面となり、その反対側の端面４６が、上方に向かうほど幅方向の中央側に位置する傾斜面となっている。
【００３０】
凹部４７は、吊部３４の側面に設けられている。凹部４７は、吊部３４の長さ方向に一様な断面形状をしており、すなわち、吊部３４の長さ方向に長い溝によって構成される。凹部４７は、凸部４４の下方に設けられており、平面視において、凸部４４に重なる位置に形成されている。
【００３１】
この連結部４３には、図３に示すように、導水板支持具５が取り付けられる。導水板支持具５は、導水板７を取り付けるためのものであり、軒樋２上に導水板７を支持する。導水板支持具５は、吊り具本体３１に対して取り外し可能となっており、すなわち、吊り具本体３１に対して着脱可能となっている。
【００３２】
導水板支持具５は、図４に示すように、本体部５６と、導水板７が取り付けられる取付部５１と、吊り具本体３１の連結部４３に連結される被連結部５５とを備えている。取付部５１は、本体部５６の上端部に設けられている。被連結部５５は、本体部５６の下端部に設けられている。この導水板支持具５は、例えば、射出成型等の樹脂成型により一体成形される。
【００３３】
取付部５１は、導水板７の下端部が取り付けられる下固定片５２と、導水板７の上端部が取り付けられる上固定片５３と、導水板７の中間部を支持する支持片５４とを備えている。上固定片５３は、建物側に向かって突出している。また、支持片５４は、上固定片５３とは反対側に向かって突出している。下固定片５２は、支持片５４の下方に設けられている。
【００３４】
被連結部５５は、吊部３４の連結部４３に取り外しできるように連結される。被連結部５５は、図５に示すように、上下方向に間隔を置いて複数箇所に設けられている（本実施形態においては、２つの被連結部５５が設けられる）。以下、被連結部５５のうち、下側の被連結部５５を第一被連結部５７とし、上側の被連結部５５を第二被連結部５８として定義する。
【００３５】
第一被連結部５７は、凹部４７内に挿入される挿入突起５９と、凸部４４が嵌め込まれる孔部６０とを備えている。挿入突起５９は、本体部５６から吊部３４の幅方向に平行に突出している。挿入突起５９は、吊部３４の長さ方向に一定の幅を有している。
【００３６】
孔部６０は、本体部５６において挿入突起５９の直上に設けられている。孔部６０は、吊部３４の凸部４４が嵌め込まれると、図６に示すように、開口周縁のうち吊部３４の幅方向の中央側の縁部（この縁部を引掛縁部６１という）が、凸部４４の鉛直面４５に引っ掛かるように構成されている。
【００３７】
第二被連結部５８は、図５に示すように、第一被連結部５７とは、軒方向にずれた位置に形成されている。また、第二被連結部５８は、第一被連結部５７の上方に形成されている。第二被連結部５８は、第一被連結部５７と同様、挿入突起５９と、孔部６０とを備えている。なお、この挿入突起５９と孔部６０とは、第一被連結部５７のものと同じ構造であるため、説明を省略する。
【００３８】
導水板支持具５は、次のようにして吊り具本体３１に連結される。以下、図７を参照し、第一被連結部５７を連結部４３に取り付ける場合につき説明する。
【００３９】
施工者は、導水板支持具５の孔部６０を吊り具本体３１の凸部４４に嵌め込み、この状態で、挿入突起５９を吊り具本体３１の凹部４７に挿入する。すると、導水板支持具５の孔部６０が凸部４４に引っ掛かり、且つ挿入突起５９と凹部４７とが引っ掛かる。
【００４０】
この連結部４３と被連結部５５によれば、導水板支持具５の取付部５１に左右方向（軒方向に平行な方向）の外力が掛かっても、その力を効果的に受けることができる。また、挿入突起５９は、吊部３４の長さ方向に一定以上の幅を有しているため、導水板支持具５の取付部５１に前後方向の外力が掛かっても、その力を効果的に受けることができる。この結果、連結部４３と被連結部５５とが外れてしまうのを防ぐことができる。
【００４１】
また、この導水板支持具５は、図３に示すように、第二被連結部５８を介して、連結部４３に取り付けることもできる。すなわち、吊り具本体３１の連結部４３には、導水板支持具５に設けられた複数の被連結部５５のうちの一の被連結部５５が選択的に連結される。従って、第二被連結部５８は第一被連結部５７よりも上方に設けられているため、導水板支持具５が第二被連結部５８を介して吊り具本体３１に取り付けられると、導水板支持具５の取付部５１の高さ位置が、第一被連結部５７を介した場合に比べて低くなる。これにより、本実施形態の樋吊り具３は、取付部５１の高さ位置を段階的に変更できるように構成されている。
【００４２】
さらに、吊り具本体３１の凸部４４は、前後方向の複数箇所に設けられている。このため、導水板支持具５は、前後方向に位置調整を行うことができるように構成されている。
【００４３】
このような構成の導水板支持具５には、図１（ａ）（ｂ）に示すように、導水板７が取り付けられる。導水板７は、屋根１上を流下した水を受け、その後、軒樋２内に導く。導水板７は、導水板支持具５の上固定片５３に固定される上接続部７１と、下固定片５２に固定される下接続部７２とを備えている。導水板７の表面は、上接続部７１から下接続部７２にかけて、滑らかに湾曲している。導水板７の下端部は、軒樋２の開口上方に位置している。
【００４４】
軒樋２が取り付けられた樋吊り具３に導水板７が取り付けられると、導水板７は、屋根１の軒先１１の先端の下方に配置される。より詳しく言うと、導水板７の棟側の端部は、平面視において、屋根１の軒先１１の先端と重なっている。この状態で雨が降ると、屋根１上を伝って流下した雨水は、導水板７に着水し、導水板７の表面を伝って下端部に流下し、その後、軒樋２内に流下する。
【００４５】
ここで、一般に、軒樋２は、屋根１の軒先１１の先端に対して一定の位置関係となるように取り付けられる。このため、導水板７が設けられていないと、軒樋２の下面を鼻隠１５の下端に揃えることができない場合が多い。
【００４６】
しかしながら、本実施形態の軒樋２の取付構造は、導水板７の高さ位置が変更可能となっているため、軒樋２の底壁２３の下面を、鼻隠１５の下端に揃えても、軒先先端に対する導水板７を一定の位置に配置することができる。
【００４７】
すなわち、本実施形態の軒樋２は、樋吊り具３に取り付けられた状態では、軒樋２の最も下方に位置する箇所が、鼻隠１５に直交し且つ当該鼻隠１５の下端を通る仮想平面（以下、この仮想平面を、単に「平面８」という）上に位置している。本実施形態において、軒樋２の最も下方に位置する箇所とは、底壁２３と前壁２４とで形成される出隅部分２６である。このため、本実施形態の軒樋２の取付構造においては、この出隅部分２６が鼻隠１５に直交し且つ当該鼻隠１５の下端を通る平面８上に位置しており、従って、底壁２３の下面が、当該平面８上に位置している。
【００４８】
図１（ｂ）の鼻隠１５の幅は、図１（ａ）の鼻隠１５の幅よりも大きく形成されている。この場合、吊り具本体３１の連結部４３に、導水板支持具５の第一被連結部５７を連結すると、軒樋２に対して導水板７を離して配置することができる。これにより、軒樋２の下面を、鼻隠１５に直交し且つ当該鼻隠１５の下端を通る平面８上に位置させても、軒先１１の先端に対する導水板７の位置関係を一定の位置関係とすることができる。
【００４９】
なお、図１（ａ）のように、幅の小さい鼻隠１５に樋吊り具３を取り付ける場合には、吊り具本体３１の連結部４３に、導水板支持具５の第二被連結部５８を連結すればよい。
【００５０】
このように本実施形態の軒樋２の取付構造は、軒樋２の下面を、鼻隠１５に直交し且つ当該鼻隠１５の下端を通る平面８上に位置させても、軒先１１の先端に対する導水板７の位置関係を一定の位置関係とすることができる。これにより、鼻隠１５と軒先１１の先端との位置関係が建物ごとに異なっていても、軒先１１から流下する雨水を軒樋２によって受けることができる状態を保ちながら、軒樋２の下端を鼻隠１５の下端に揃えることができる。
【００５１】
以上、説明したように、本実施形態の軒樋の取付構造は、鼻隠１５と、この鼻隠１５に取り付けられた樋吊り具３と、この樋吊り具３に支持された軒樋２とを備えている。樋吊り具３は、鼻隠１５に固定されて軒樋２を支持する吊り具本体３１と、この吊り具本体３１に取り付けられた導水板支持具５とを備えている。導水板支持具５には、屋根１上を流下した水を軒樋２内に導く導水板７が取り付けられる。導水板支持具５は、取付部５１の上下位置が吊り具本体３１に対して変更可能となっている。そして、軒樋２の最も下方に位置する箇所が、鼻隠１５に直交し且つ当該鼻隠１５の下端を通る平面８上に位置している。
【００５２】
このため、本実施形態の軒樋２の取付構造によれば、軒先１１から流下する雨水を軒樋２で受けることができる状態を保ちながら、鼻隠１５の下端に軒樋２の下端を揃えることができる。
【００５３】
また、本実施形態の軒樋２の取付構造は、軒樋２が底壁２３を有する角樋によって構成されている。そして、軒樋２の底壁２３の下面が、鼻隠１５に直交し且つ当該鼻隠１５の下端を通る平面８上に位置している。
【００５４】
このため、本実施形態の軒樋２の取付構造によれば、鼻隠１５の下端面と軒樋２の底面とを同一平面上に位置させることができて、外観を良好にすることができる。
【００５５】
また、本実施形態の軒樋２の取付構造は、吊り具本体３１に、連結部４３が設けられている。連結部４３には導水板支持具５が取り付けられる。導水板支持具５には、上下方向に間隔を置いて複数の被連結部５５が設けられている。連結部４３には、複数の被連結部５５のうちの一の被連結部５５が選択的に連結されるものである。
【００５６】
このため、本実施形態の軒樋２の取付構造によれば、導水板７が段階的に高さ調整することができるものであるため、施工性をよくすることができる。
【００５７】
次に、実施形態２について図８に基づいて説明する。なお、本実施形態においては、大部分において実施形態１と同じであるため、同じ部分については説明を省略する。
【００５８】
実施形態２の軒樋２の取付構造は、鼻隠１５が鉛直に形成されている点で実施形態１の取付構造とは異なり、その他の点については同じ構造である。すなわち、本実施形態の樋吊り具３は、実施形態１の樋吊り具３と同じものが用いられている。
【００５９】
本実施形態の軒樋２において、樋吊り具３に取り付けられた状態で最も下方に位置する箇所は底壁２３の下面である。この底壁２３の下面は、鼻隠１５に直交し且つ当該鼻隠１５の下端を通る平面８上に位置している。
【００６０】
このため、本実施形態の軒樋２の取付構造によれば、鼻隠１５の下端に軒樋２の下端を揃えることができ、この状態を保ちながらも、軒先１１から流下する雨水を軒樋２で受けることができる。
【００６１】
次に、実施形態３について図９に基づいて説明する。なお、本実施形態においては、大部分において実施形態１と同じであるため、同じ部分については説明を省略する。
【００６２】
本実施形態の軒樋２の取付構造は、軒樋２が丸樋によって構成されている点で実施形態１とは異なっている。
【００６３】
軒樋２は、上方に開口した断面半円状の底壁２６を有している。軒樋２の底壁２６の前側の上端には前耳部２５が設けられている。また、軒樋２の底壁２６の後側の上端には後耳部２２が設けられている。
【００６４】
本実施形態の軒樋２において、樋吊り具３に取り付けられた状態で最も下方に位置する箇所は、底壁２６の湾曲した下端部２７である。この底壁２６の下端部は、鼻隠１５に直交し且つ当該鼻隠１５の下端を通る平面８上に位置している。
【００６５】
このように、本実施形態の軒樋２の取付構造においても、鼻隠１５の下端に軒樋２の下端を揃えることができ、この状態を保ちながらも、軒先１１から流下する雨水を軒樋２で受けることができる。
【符号の説明】
【００６６】
１      屋根
１１    軒先
１２    屋根下地
１５    鼻隠
２      軒樋
２３    底壁
３      樋吊り具
３１    吊り具本体
３２    固定部
３３    固着具挿通孔
３４    吊部
４３    連結部
４４    凸部
４７    凹部
５      導水板支持具
５１    取付部
５２    下固定片
５３    上固定片
５４    支持片
５５    被連結部
５６    本体部
５７    第一被連結部
５８    第二被連結部
５９    挿入突起
６０    孔部
６１    引掛縁部
７      導水板
７１    上接続部
７２    下接続部
８      平面
【要約】
【課題】軒先から流下する雨水を軒樋内に流下させるようにしながら、鼻隠の下端に軒樋の下端を揃えることができる軒樋の取付構造を提供する。
【解決手段】本発明は、鼻隠１５と、この鼻隠１５に取り付けられた樋吊り具３と、この樋吊り具３に支持された軒樋２とを備えた軒樋２の取付構造である。樋吊り具３は、軒樋２を支持する吊り具本体３１と、この吊り具本体３１に取り付けられた導水板支持具５とを備えている。導水板支持具５は、屋根１上を流下した水を軒樋２内に導く導水板７が取り付けられる。取付部５１の上下位置が吊り具本体３１に対して変更可能となっている。そして、軒樋２の最も下方に位置する箇所が、鼻隠１５に直交し且つ当該鼻隠１５の下端を通る平面８上に位置している
【選択図】図１【図１】
0005636123.tif 000002
【図２】
0005636123.tif 000003
【図３】
0005636123.tif 000004
【図４】
0005636123.tif 000005
【図５】
0005636123.tif 000006
【図６】
0005636123.tif 000007
【図７】
0005636123.tif 000008
【図８】
0005636123.tif 000009
【図９】
0005636123.tif 000010